(57)【要約】【課題】本発明は、画像感知器解像度切換え回路を提供する。【解決手段】制御ユニット２１で、複数の画像捕獲ユニット２３１〜２３ｎが画像信号を生成して蓄積するように制御し、また、解像度制御ユニット２５が、解像度制御信号で、複数のシフトレジスタを制御することにより、それらのシフトレジスタは、画像捕獲ユニットが画像信号を出力するように制御する。また、信号合併ユニット２７で、画像捕獲ユニットが出力した画像信号を合併して、解像度の切換えを実現する。本発明の画像感知器解像度切換え回路は、余計な解像度切換え回線が要らないため、ノイズの影響を解消でき、また、回路コストを低減でき、そして、画像信号が、電荷形式により送信されるため、信号が伝送過程において、線抵抗により歪曲されることを防止できる。【選択図】図２
2008148311.tif 000002
【特許請求の範囲】
【請求項１】
それぞれ画像を捕獲して該画像の第１の画像信号と第２の画像信号を生成する複数の線形構造に配列された画像捕獲ユニットと、
前記画像捕獲ユニットに接続され、それらの第１の画像信号を合併し、またそれらの第２の画像信号を合併する信号合併ユニットと、
前記画像捕獲ユニットと前記信号合併ユニットに接続され、前記画像捕獲ユニットと前記信号合併ユニットを制御する制御ユニットと、
それぞれ、前記各画像捕獲ユニットに接続され、前記第１の画像信号と前記第２の画像信号を前記信号合併ユニットへ送信する複数のシフトレジスタと、
前記シフトレジスタに接続され、少なくとも一つの解像度制御信号を生成し、前記シフトレジスタが複数の出力制御信号を供給するように制御して、前記画像捕獲ユニットが前記第１の画像信号と前記第２の画像信号を前記信号合併ユニットへ送信するように制御し、異なる解像度を切換える解像度制御ユニットと、
が含有されることを特徴とする画像感知器解像度切換え回路。
【請求項２】
前記解像度制御ユニットは、切換えるｍ種類の解像度に基づいて、２ｍ−１個の解像度制御信号を出力して、前記シフトレジスタが出力制御信号を生成するように制御することを特徴とする請求項１に記載の画像感知器解像度切換え回路。
【請求項３】
前記画像捕獲ユニットは、スイッチと電気蓄積素子を有する回路により、前記第１の画像信号と前記第２の画像信号を、電荷形式で、前記信号合併ユニットへ送信し、それぞれ、
画像を検知して、前記第１の画像信号と前記第２の画像信号を生成する画像検知素子と、リセット電圧と前記画像検知素子が接続され、前記第１の制御信号を受信して、光信号変換ユニットをリセットし、画像を検知する第１のスイッチと、前記画像検知素子が接続され、前記第１の画像信号と前記第２の画像信号を拡大し、第２のスイッチを介して、拡大された前記第１の画像信号を、第１の電気蓄積素子に蓄積し、第３のスイッチを介して、前記第２の画像信号を、第２の電気蓄積素子に蓄積する演算増幅器と、が備えられ、前記制御ユニットの第１の制御信号を受信し、画像を捕獲し、前記第１の画像信号と前記第２の画像信号を生成する光信号変換ユニットと、
前記光信号変換ユニットが接続され、前記制御ユニットの前記第２の制御信号を受信して、前記第１の画像信号を、前記第１の電気蓄積素子に蓄積する前記第２のスイッチと、
前記光信号変換ユニットが接続され、前記制御ユニットの第３の制御信号を受信して、前記第２の画像信号を、前記第２の電気蓄積素子に蓄積する前記第３のスイッチと、
前記第２のスイッチと前記第１の電気蓄積素子及び第１の画像出力回線が接続され、対応する前記シフトレジスタが提供した出力制御信号を受信し、前記第１の画像信号が前記第１の画像出力回線から前記信号合併ユニットに出力されるように制御する第４のスイッチと、
前記第３のスイッチと前記第２の電気蓄積素子及び第２の画像出力回線が接続され、前記出力制御信号を受信して、前記第２の画像信号が、前記第２の画像出力回線を介して前記信号合併ユニットに出力されるように制御する第５のスイッチと、
が備えられることを特徴とする請求項１に記載の画像感知器解像度切換え回路。
【請求項４】
前記信号合併ユニットは、
前記第１の画像信号と前記第２の画像信号を受信し、それらの第１の画像信号を合併し、それらの第２の画像信号を合併する両端入力両端出力の演算増幅器と、
前記両端入力両端出力の演算増幅器の第１の画像信号入力端と第１の出力端に接続され、前記制御ユニットの第４の制御信号を受信し、前記信号合併ユニットと前記画像捕獲ユニットとの間において、前記第１の画像信号を伝送する回線をリセットする第６のスイッチと、
前記両端入力両端出力の演算増幅器の第２の画像信号入力端と第２の出力端に接続され、前記第４の制御信号を受信し、前記信号合併ユニットと前記画像捕獲ユニットとの間において、前記第２の画像信号を伝送する回線をリセットする第７のスイッチと、
が備えられることを特徴とする請求項１に記載の画像感知器解像度切換え回路。
【請求項５】
画像を捕獲して、複数の第１の画像信号と複数の第２の画像信号を生成し、
解像度制御ユニットが、必要とする解像度に基づいて、解像度制御信号を生成し、
該解像度制御信号に基づいて、同時に、シフトレジスタが（ｎ）個の出力制御信号を生成し、それらの出力制御信号で、同時に、それらの第１の画像信号とそれらの第２の画像信号の出力を制御し
前記第１の画像信号を合併し、また前記第２の画像信号を合併し、その解像度が、前記出力制御信号が独自に出力された時の（ｎ）分の一である、
ことを特徴とする画像感知器解像度切換え方法。
【請求項６】
前記出力制御信号は、画像感知器解像度に対応するタイミング制御信号で、解像度に従って、順に前記第１の画像信号と前記第２の画像信号を伝送することを特徴とする請求項５に記載の画像感知器解像度切換え方法。
【請求項７】
前記解像度制御信号の数は、２ｍ−１個であり、解像度に応じて、段数ｍが切換えられることで変化するものであることを特徴とする請求項５に記載の画像感知器解像度切換え方法。
【発明の詳細な説明】
【技術分野】
【０００１】
本発明は、解像度切換え回路と方法に関し、特に、接触式画像感知器の解像度切換え回路と方法に関する。
【背景技術】
【０００２】
図１は、従来の接触式画像感知器切換え回路の構造図である。制御ユニット１１は、第１の制御信号ＲＳＴと第２の制御信号ＳＨＲ及び第３の制御信号ＳＨＳで、複数の光信号変換ユニット１３１、１３２、１３３、１３４が信号を捕獲して蓄積することを制御し、また、複数の第４の制御信号ＣＯＮ１−６で、それぞれ、検知素子端解像度切換え回線１２（ＤＰＩ  ｓｅｌｅｃｔｉｏｎ  ｃｉｒｃｕｉｔ  ｆｏｒ  ｓｅｎｏｒ）とシフトレジスタ端解像度切換え回線１５（ＤＰＩ  ｓｅｌｅｃｔｉｏｎ  ｃｉｒｃｕｉｔ  ｆｏｒ  ｓｈｉｆｔ  ｒｅｇｉｓｔｅｒ）を制御し、適当に、画像検知素子１６１、１６２、１６３、１６４を切換えて、複数のシフトレジスタ１４１、１４２、１４３、１４４の制御信号ＴＧ１、ＴＧ２、ＴＧ３、ＴＧ４の出力を制御する。
【０００３】
そして、一つの画素（ｐｉｘｅｌ）を利用して、従来の接触式画像感知器切換え回路の作動原理を説明する。画像検知素子１６１は、一つの画像を検知して、一つの信号を生成し、該信号が、検知素子端解像度切換え回線１２から光信号変換ユニット１３１に伝送される。光信号変換ユニット１３１は、第１のスイッチＳ１１ａで第１の制御信号ＲＳＴを受信して、演算増幅器Ｏ１１ａ入力端の回線をリセットし、即ち、該信号を受信して拡大する。また、演算増幅器Ｏ１１ａが出力した信号を、第２のスイッチＳ１２ａを介して、第１の電気蓄積素子Ｃ１１ａに送信して蓄積し、或いは、第３のスイッチＳ１３ａを介して、第２の電気蓄積素子Ｃ１２ａに送信して蓄積する。その中、第２のスイッチＳ１２ａは、第２の制御信号ＳＨＲを受信し、画像検知素子１６１で検知した画像の第１の画像信号を、第１の電気蓄積素子Ｃ１１ａに蓄積する。第３のスイッチＳ１３ａは、第３の制御信号ＳＨＳを受信し、画像検知素子１６１で検知した画像の第２の画像信号を第２の電気蓄積素子Ｃ１２ａに蓄積する。通常、第１の画像信号と第２の画像信号は、該画像の光信号（ｌｉｇｈｔ  ｓｉｇｎａｌ）と暗信号（ｄａｒｋ  ｓｉｇｎａｌ）である。そして、シフトレジスタ端解像度切換え回線１５は、制御ユニット１１の第４の制御信号ＣＯＮ５、ＣＯＮ６に基づいて、各シフトレジスタ１４１、１４２、１４３、１４４が制御信号ＴＧ１、ＴＧ２、ＴＧ３、ＴＧ４を出力することを制御する。また、光信号変換ユニット１３１の第４のスイッチ  Ｓ１４ａが、出力制御信号ＴＧ１を受信してオンになると、第１の電気蓄積素子Ｃ１１ａの第１の画像信号が、第１のトランジスタＭＰ１を利用して電圧形式で、第１の画像出力回線ＯＵＴ１から出力される。同時に、光信号変換ユニット１３１の第５のスイッチ  Ｓ１５ａが、出力制御信号ＴＧ１を受信してオンになると、第２の電気蓄積素子Ｃ１２ａの第２の画像信号が、第２のトランジスタＭＰ２を利用して電圧形式で第２の画像出力回線ＯＵＴ２から出力される。同じように、光信号変換ユニット１３２、１３３、１３４が、制御信号ＴＧ２、ＴＧ３、ＴＧ４を受信して、第１の画像出力回線ＯＵＴ１と第２の画像出力回線ＯＵＴ２が、それぞれの第１の画像信号と第２の画像信号が出力されて、以降の画像処理回路の処理に利用される。
【０００４】
以上のように、異なる解像度切換えは、制御ユニット１１が、第４の制御信号ＣＯＮ１−ＣＯＮ４で、検知素子端解像度切換え回線１２の作動を制御し、また、第４の制御信号ＣＯＮ５、ＣＯＮ６で、シフトレジスタ端解像度切換え回線１５の作動を制御することにより、実現される。このような切換え回路は、次の欠点がある。
【０００５】
ノイズ（ｎｏｉｓｅ）は、容易に、検知素子端解像度切換え回線１２を介して、光信号変換ユニット１３１が受信した画像検知素子１６１により検知された画像信号に影響を与え、また、Ｓ／Ｎ比（Ｓ／Ｎ  ｒａｔｉｏ）が低下される。
【０００６】
第１の画像信号と第２の画像信号は、電圧方式により、第１の画像出力端ＯＵＴ１と第２の画像出力端ＯＵＴ２から出力され、回路の信号伝送距離が長すぎると、均一度の問題がある。
【０００７】
一般の設計では、光信号変換ユニット１３１中の第１のトランジスタＭＰ１と第２のトランジスタＭＰ２が、大面積（ｓｉｚｅ）の素子であるため、回路の作製コストが高くなる。
【０００８】
切換える解像度の種類が多ければ、シフトレジスタ端解像度切換え回線１５の設計が、複雑になり、これによっても、コストが高くなる。
【発明の開示】
【発明が解決しようとする課題】
【０００９】
本発明は、余計な解像度切換え回線（検知素子端解像度切換え回線やシフトレジスタ端解像度切換え回線）が必要でなく、ノイズによる影響を解消でき、Ｓ／Ｎ比を高くして、回路コストを低減できる画像感知器解像度切換え回路を提供する。また、内部の第１の画像信号と第２の画像信号（光信号と暗信号）の出力は、スイッチ容量（ＳＣ）回路の方式を採用して、電荷で、信号を伝送する。これにより、信号出力回線上の抵抗値の差により、信号が伝送される過程で歪曲されることを防止でき、均一度が向上される。また、本発明による回路は、従来の光信号変換ユニットに設置されたトランジスタを省略でき、回路コストを低減できる。
【課題を解決するための手段】
【００１０】
本発明は、それぞれ画像を捕獲して画像の第１の画像信号と第２の画像信号を生成する複数の線形構造に配列された画像捕獲ユニットと、前記画像捕獲ユニットに接続され、前記第１の画像信号を合併し、また前記第２の画像信号を合併する信号合併ユニットと、前記画像捕獲ユニットと前記信号合併ユニットに接続され、前記画像捕獲ユニットと前記信号合併ユニットを制御する制御ユニットと、それぞれ、前記画像捕獲ユニットに接続され、前記第１の画像信号と前記第２の画像信号を前記信号合併ユニットへ送信する複数のシフトレジスタと、前記シフトレジスタに接続され、少なくとも一つの解像度制御信号を生成し、前記シフトレジスタが複数の出力制御信号を供給するように制御して、前記画像捕獲ユニットが前記第１の画像信号と前記第２の画像信号を前記信号合併ユニットへ送信するように制御し、異なる解像度を切換える解像度制御ユニットと、が含有される画像感知器解像度切換え回路である。
【００１１】
本発明は、制御ユニットで複数の画像捕獲ユニットを制御して画像を捕獲し、前記画像捕獲ユニットが、それぞれ、第１の画像信号と第２の画像信号を生成し、また、解像度制御ユニットが、必要とする解像度に基づいて、解像度制御信号を生成し、複数のシフトレジスタを制御し、そして、それらのシフトレジスタが、前記解像度制御信号に基づいて、複数の出力制御信号を生成し、前記画像捕獲ユニットが、前記第１の画像信号と前記第２の画像信号を信号合併ユニットに出力するように制御し、最後に、該信号合併ユニットが、前記第１の画像信号を合併して、また前記第２の画像信号を合併する画像感知器解像度切換え方法である。
【００１２】
以下、図面を参照しながら、予期の目的を達成するための技術や手段及び効果について、詳しく説明するが、本発明は、それによって制限されることがない。
【発明を実施するための最良の形態】
【００１３】
図２は、本発明に係わる画像感知器解像度切換え回路の機能ブロック図である。本発明に係わる画像感知器解像度切換え回路は、制御ユニット２１と複数の画像捕獲ユニット２３１〜２３ｎ、複数のシフトレジスタ２４１〜２４ｎ、解像度制御ユニット２５及び信号合併ユニット２７が備えられる。制御ユニット２１が、第１の制御信号ＲＳＴと第２の制御信号ＳＨＲ及び第３の制御信号ＳＨＳを送信して第１の画像捕獲ユニット２３１と第２の画像捕獲ユニット２３２、…、ｎ個目の画像捕獲ユニット２３ｎを制御して、画像の捕獲と画像信号の蓄積を制御し、また、第４の制御信号ＣＬＫで、信号合併ユニット２７を制御して、信号合併ユニット２７が、第１の画像出力回線ＯＵＴＰと第２の画像出力回線ＯＵＴＮを介して、画像捕獲ユニット２３１〜２３ｎが生成した画像信号を受信する。また、解像度制御ユニット２５は、解像度の切換えに従って、対応する複数の解像度制御信号ＣＣ１〜ＣＣ２ｍ−１（解像度制御信号の制御数量が２ｍ−１であり、解像度切換え段数ｍにより異なる）を出力して、シフトレジスタ２４１〜２４ｎの信号出力を制御する。また。シフトレジスタ２４１〜２４ｎは、それらの解像度制御信号ＣＣ１〜ＣＣ２ｍ−１に従って複数の出力制御信号ＴＧ１〜ＴＧｎを出力して、画像捕獲ユニット２３１〜２３ｎが、捕獲した画像信号を信号合併ユニット２７に出力することを制御する。本発明は、各制御信号（ＲＳＴ、ＳＨＲ、ＳＨＳ、ＣＬＫ、ＴＧ１〜ＴＧｎ）のタイミングを制御することにより、解像度の要求に対応して、画像の捕獲や送信を実行する。その中で、画像捕獲ユニット２３１〜２３ｎは、線形に配列される構造で、目標画像を捕獲する。
【００１４】
各制御信号（ＲＳＴ、ＳＨＲ、ＳＨＳ、ＣＬＫ、ＴＧ１〜ＴＧｎ）で画像捕獲ユニット２３１〜２３ｎと信号合併ユニット２７を制御する時の作動原理を説明する。
【００１５】
まず、第１の画像捕獲ユニット２３１を例として、第１の画像捕獲ユニット２３１が、制御ユニット２１により生成された第１の制御信号ＲＳＴと第２の制御信号ＳＨＲ、第３の制御信号ＳＨＳ及びシフトレジスタ２４１により生成された出力制御信号ＴＧ１を受信して、第１の画像信号と第２の画像信号を生成して出力する時の作動原理を説明する。図３は、本発明の画像捕獲ユニットの回路図である。第１の画像捕獲ユニット２３１は、光信号変換ユニット２３１１と第２のスイッチＳ１２、第３のスイッチＳ１３、第４のスイッチＳ１４、第５のスイッチＳ１５、第１の電気蓄積素子Ｃ１１及び第２の電気蓄積素子Ｃ１２が備えられる。その中、光信号変換ユニット２３１１は、リセット電源Ｖｒｓｔと第１のスイッチＳ１１、演算増幅器Ｏ１１及び画像検知素子Ｄ１が備えられる。光信号変換ユニット２３１１は、第１の制御信号ＲＳＴを受信して、第１のスイッチＳ１１をオンさせ、そして、リセット電源Ｖｒｓｔで、光信号変換ユニット２３１１をリセットし、また、画像検知素子Ｄ１で画像を検知して、該画像を演算増幅器Ｏ１１に送信して拡大（増幅）する。演算増幅器Ｏ１１は、拡大された画像信号を、それぞれ第２のスイッチＳ１２を介して、該画像の第１の画像信号を第１の電気蓄積素子Ｃ１１に蓄積し、第３のスイッチＳ１３を介して、該画像の第２の画像信号を第２の電気蓄積素子Ｃ１２に蓄積する。通常、第１の画像信号と第２の画像信号は、該画像の光信号（ｌｉｇｈｔ  ｓｉｇｎａｌ）と暗信号（ｄａｒｋ  ｓｉｇｎａｌ）である。また、第２のスイッチＳ１２は、第２の制御信号ＳＨＲに従って作動し、第１の画像信号を第１の電気蓄積素子Ｃ１１に蓄積し、第３のスイッチＳ１３は、第３の制御信号ＳＨＳに従って作動し、第２の画像信号を第２の電気蓄積素子Ｃ１２に蓄積する。そして、第４のスイッチＳ１４と第５のスイッチＳ１５は、シフトレジスタ２４１が送信した出力制御信号ＴＧ１を受信して、第１の電気蓄積素子Ｃ１１に蓄積された第１の画像信号と第２の電気蓄積素子Ｃ１２に蓄積された第２の画像信号を、それぞれ、第１の画像出力回線ＯＵＴＰと第２の画像出力回線ＯＵＴＮから出力する。
【００１６】
同じように、第２の画像捕獲ユニット２３２は、第１の制御信号ＲＳＴを受信して、内部の光信号変換ユニット（図示せず）を制御し、また、第２の制御信号ＳＨＲと第３の制御信号ＳＨＳを利用して、内部の第２のスイッチ（図示せず）と第３のスイッチ（図示せず）の作動を制御して、第１の画像信号と第２の画像信号を蓄積し、また、シフトレジスタ２４２が送信した出力制御信号ＴＧ２で、内部の第４のスイッチ（図示せず）と第５のスイッチ（図示せず）の作動を制御して、第１の画像出力回線ＯＵＴＰと第２の画像出力回線ＯＵＴＮから、第２の画像捕獲ユニット２３２の第１の画像信号と第２の画像信号を出力する。同じように、ｎ個目の画像捕獲ユニット２３ｎが、出力制御信号ＴＧｎを受信して、ｎ個目の画像捕獲ユニット２３ｎの第１の画像信号と第２の画像信号を出力する。
【００１７】
次に、信号合併ユニット２７が、制御ユニット２１から第４の制御信号ＣＬＫを受信し、画像捕獲ユニット２３１〜２３ｎから第１の画像信号と第２の画像信号を受信する時の作動原理を説明する。本発明の信号合併ユニット２７について、二つの異なる実施例が挙げられるが、図４は、本発明の信号合併ユニットのより良い実施例の回路図である。信号合併ユニット２７Ａは、両端入力両端出力の演算増幅器Ｏ２７と第６のスイッチＳ６、第７のスイッチＳ７、容量Ｃ２７１及び容量Ｃ２７２が備えられる。その中、第６のスイッチＳ６と容量Ｃ２７１とが、並列に接続され、両端入力両端出力の演算増幅器Ｏ２７の第１の信号受信端ＩＮ１と第１の出力端ＯＴ１とに接続される。また、第７のスイッチＳ７と容量Ｃ２７２とが、並列に接続され、両端入力両端出力の演算増幅器Ｏ２７の第２の信号受信端ＩＮ２と第２の出力端ＯＴ２とに接続される。第１の信号受信端ＩＮ１が、第１の画像出力回線ＯＵＴＰに接続されて、第１の画像信号を受信し、第２の出力端ＯＴ２が、第２の画像出力回線ＯＵＴＮに接続されて、第２の画像信号を受信する。第６のスイッチＳ６と第７のスイッチＳ７は、第４の制御信号を受信して、第１の画像出力回線ＯＵＴＰと第２の画像出力回線ＯＵＴＮをリセットし、同時に、両端入力両端出力の演算増幅器Ｏ２７が、第１の画像信号と第２の画像信号を受信する。また、両端入力両端出力の演算増幅器Ｏ２７は、受信した第１の画像信号を合併して、第１の合併信号を生成し、また、受信した第２の画像信号を合併して、第２の合併信号を生成する。その後、第１の出力端ＯＴ１と第２の出力端ＯＴ２から第１の合併信号と第２の合併信号との差値を出力する。
【００１８】
図５は、本発明の画像感知器解像度切換え回路の正常解像度（ノーマル解像度）の信号タイミング図であり、本発明に係わる画像感知器解像度切換え回路の解像度切換えの作動を詳しく説明する。同時に、図５Ａは、本発明の画像感知器正常解像度切換え回路の機能ブロック図である。図５Ａにおいては、１×８の画像感知器アレイ解像度切換え回路であるが、それは、ただ、本発明の一つの説明のため実施例であり、画像捕獲素子の数量は、本発明において、制限されない。
【００１９】
本発明の画像感知器解像度切換え回路が正常解像度である時、まず、制御ユニット２１が第１の制御信号ＲＳＴと第２の制御信号ＳＨＲ及び第３の制御信号ＳＨＳを送信して、各画像捕獲ユニット２３１〜２３８が、第１の画像信号と第２の画像信号を生成し、各画像捕獲ユニット２３１〜２３８中の電気蓄積素子に蓄積する。この時、解像度切換え段数が正常解像度（ｍ＝１）であるため、解像度制御ユニット２５は、ＣＣ１のひとつの解像度制御信号（解像度制御信号の制御数量は２ｍ−１である）が必要であり、また、シフトレジスタ２４１〜２４８が、順に出力制御信号ＴＧ１〜ＴＧ８を生成し、出力制御信号ＴＧ１〜ＴＧ８で、各画像捕獲ユニット２３１〜２３８の第４のスイッチと第５のスイッチをオンにして、各画像捕獲ユニット２３１〜２３８が、順に蓄積された第１の画像信号と第２の画像信号が、第１の画像出力回線ＯＵＴＰと第２の画像出力回線ＯＵＴＮを介して、信号合併ユニット２７に伝送して合併される（図３参照）。
【００２０】
図６は、本発明の画像感知器解像度切換え回路の二分の一の解像度信号タイミング図であり、同時に、図６Ａは、本発明の画像感知器の二分の一の解像度切換え回路の機能ブロック図である。画像感知器解像度が、二分の一に下がる時、同じように、制御ユニット２１が第１の制御信号ＲＳＴと第２の制御信号ＳＨＲ及び第３の制御信号ＳＨＳを送信して、各画像捕獲ユニット２３１〜２３８により、第１の画像信号と第２の画像信号を生成し、また、各画像捕獲ユニット２３１〜２３８の電気蓄積素子に蓄積する。この時、解像度切換え段数に、正常解像度と二分の一の解像度の二つの段数（ｍ＝２）が含まれるため、解像度制御ユニット２５は、ＣＣ１とＣＣ２の二つの解像度制御信号（解像度制御信号の制御数量が２ｍ−１である）が必要となり、その後、シフトレジスタ２４１〜２４８が、順に、出力制御信号ＴＧ１、ＴＧ２と出力制御信号ＴＧ３、ＴＧ４、出力制御信号ＴＧ５、ＴＧ６及び出力制御信号ＴＧ７、ＴＧ８を生成し、まず、同時に、第１の画像捕獲ユニット２３１と第２の画像捕獲ユニット２３２の第４のスイッチと第５のスイッチをオンにして、次に、同時に、第３の画像捕獲ユニット２３３と第４の画像捕獲ユニット２３４の第４のスイッチと第５のスイッチをオンにし、そして、同時に、第５の画像捕獲ユニット２３５と第６の画像捕獲ユニット２３６の第４のスイッチと第５のスイッチをオンにし、更に、同時に、第７の画像捕獲ユニット２３７と第８の画像捕獲ユニット２３８の第４のスイッチと第５のスイッチをオンにし、これにより、画像捕獲ユニット２３１〜２３８が、順に、蓄積された第１の画像信号と第２の画像信号とが、第１の画像出力回線ＯＵＴＰと第２の画像出力回線ＯＵＴＮを介して、信号合併ユニット２７に伝送されて合併され、これにより、解像度を低下する目的が実現される。
【００２１】
図７は、本発明の画像感知器解像度切換え回路の四分の一の解像度信号タイミング図であり、図７Ａは、本発明の画像感知器の四分の一の解像度切換え回路の機能ブロック図である。画像感知器解像度が、四分の一に下がる時、同じように、制御ユニット２１が、第１の制御信号ＲＳＴと第２の制御信号ＳＨＲ及び第３の制御信号ＳＨＳを送信して、各画像捕獲ユニット２３１〜２３８により、第１の画像信号と第２の画像信号を生成し、また、各画像捕獲ユニット２３１〜２３８の電気蓄積素子に蓄積する。この時、解像度切換え段数に、正常解像度と二分の一の解像度及び四分の一の解像度の三つの段数（ｍ＝３）が含まれるため、解像度制御ユニット２５は、ＣＣ１とＣＣ２、ＣＣ３及びＣＣ４の四つの解像度制御信号（解像度制御信号の制御数量が２ｍ−１である）が必要となり、その後、シフトレジスタ２４１〜２４８が、順に、出力制御信号ＴＧ１、ＴＧ２、ＴＧ３、ＴＧ４と出力制御信号ＴＧ５、ＴＧ６、ＴＧ７、ＴＧ８を生成し、まず、同時に、第１の画像捕獲ユニット２３１と第２の画像捕獲ユニット２３２、第３の画像捕獲ユニット２３３及び第４の画像捕獲ユニット２３４の第４のスイッチと第５のスイッチをオンにして、次に、同時に、第５の画像捕獲ユニット２３５と第６の画像捕獲ユニット２３６、第７の画像捕獲ユニット２３７及び第８の画像捕獲ユニット２３８の第４のスイッチと第５のスイッチをオンにして、これにより、画像捕獲ユニット２３１〜２３８が、順に、蓄積された第１の画像信号と第２の画像信号を、第１の画像出力回線ＯＵＴＰと第２の画像出力回線ＯＵＴＮを介して、信号合併ユニット２７に伝送して合併され、これにより、解像度を低下する目的が実現される。
【００２２】
図８は、本発明の画像感知器解像度切換え回路の八分の一の解像度信号タイミング図であり、図８Ａは、本発明の画像感知器の八分の一の解像度切換え回路の機能ブロック図である。画像感知器解像度が、八分の一に下がる時、同じように、制御ユニット２１が、第１の制御信号ＲＳＴと第２の制御信号ＳＨＲ及び第３の制御信号ＳＨＳを送信して、各画像捕獲ユニット２３１〜２３８により、第１の画像信号と第２の画像信号を生成し、また、各画像捕獲ユニット２３１〜２３８の電気蓄積素子に蓄積する。この時、解像度切換え段数に、正常解像度と二分の一の解像度、四分の一の解像度及び八分の一の解像度の四つの段数（ｍ＝４）が含まれるため、解像度制御ユニット２５は、ＣＣ１とＣＣ２、ＣＣ３、ＣＣ４、ＣＣ５、ＣＣ６、ＣＣ７及びＣＣ８の八つの解像度制御信号（解像度制御信号の制御数量が２ｍ−１である）が必要となり、その後、シフトレジスタ２４１〜２４８が、順に、出力制御信号ＴＧ１〜ＴＧ８を生成し、同時に、画像捕獲ユニット２３１〜２３８の第４のスイッチと第５のスイッチをオンにして、また、同時に、画像捕獲ユニット２３１〜２３８が、蓄積された第１の画像信号と第２の画像信号を、第１の画像出力回線ＯＵＴＰと第２の画像出力回線ＯＵＴＮを介して、信号合併ユニット２７に伝送して合併され、これにより、解像度を低下する目的が実現される。
【００２３】
以上は、ただ、本発明のより良い実施例であり、本発明は、それによって制限されることが無く、本発明に係わる特許請求の範囲や明細書の内容に基づいて行った等価の変更や修正は、全てが、本発明の特許請求の範囲内に含まれる。
【図面の簡単な説明】
【００２４】
【図１】従来の接触式画像感知器切換え回路の構造図である。
【図２】本発明の画像感知器解像度切換え回路の機能ブロック図である。
【図３】本発明の画像捕獲ユニットの回路図である。
【図４】本発明の信号合併ユニットの好ましい実施例の回路図である。
【図５】本発明の画像感知器解像度切換え回路の正常解像度の信号タイミング図である。
【図５Ａ】本発明の画像感知器の正常解像度の切換え回路の機能ブロック図である。
【図６】本発明の画像感知器解像度切換え回路の二分の一の解像度信号のタイミング図である。
【図６Ａ】本発明の画像感知器の二分の一の解像度切換え回路の機能ブロック図である。
【図７】本発明の画像感知器解像度切換え回路の四分の一の解像度信号のタイミング図である。
【図７Ａ】本発明の画像感知器の四分の一の解像度切換え回路の機能ブロック図である。
【図８】本発明の画像感知器解像度切換え回路の八分の一の解像度信号のタイミング図である。
【図８Ａ】本発明の画像感知器の八分の一の解像度切換え回路の機能ブロック図である。
【符号の説明】
【００２５】
［従来技術］
１１  制御ユニット
１２  検知素子端解像度切換え回線
１３１、１３２、１３３、１３４  光信号変換ユニット
１４１、１４２、１４３、１４４  シフトレジスタ
１５  シフトレジスタ端解像度切換え回線
１６１、１６２、１６３、１６４  画像検知素子
ＲＳＴ  第１の制御信号
ＳＨＲ  第２の制御信号
ＳＨＳ  第３の制御信号
ＣＯＮ１、ＣＯＮ２、ＣＯＮ３、ＣＯＮ４、ＣＯＮ５、ＣＯＮ６      第４の制御信号
ＴＧ１、ＴＧ２、ＴＧ３、ＴＧ４      制御信号
Ｓ１１ａ  第１のスイッチ
Ｓ１２ａ  第２のスイッチ
Ｓ１３ａ  第３のスイッチ
Ｓ１４ａ  第４のスイッチ
Ｓ１５ａ  第５のスイッチ
Ｏ１１ａ  演算増幅器
Ｃ１１ａ  第１の電気蓄積素子
Ｃ１２ａ  第２の電気蓄積素子
ＭＰ１  第１のトランジスタ
ＭＰ２  第２のトランジスタ
ＯＵＴ１  第１の画像出力回線
ＯＵＴ２  第２の画像出力回線
［本発明］
２１  制御ユニット
２３１〜２３ｎ  画像捕獲ユニット
２３１  第１の画像捕獲ユニット
２３２  第２の画像捕獲ユニット
２３ｎ  ｎ個目の画像捕獲ユニット
２４１〜２４ｎ  シフトレジスタ
２５  解像度制御ユニット
２７  信号合併ユニット
ＲＳＴ  第１の制御信号
ＳＨＲ  第２の制御信号
ＳＨＳ  第３の制御信号
ＣＬＫ  第４の制御信号
ＯＵＴＰ  第１の画像出力回線
ＯＵＴＮ  第２の画像出力回線
ＣＣ１〜ＣＣ２ｍ−１  解像度制御信号
ＴＧ１〜ＴＧｎ  出力制御信号
２３１１  光信号変換ユニット
Ｖｒｓｔ  リセット電源
Ｏ１１  演算増幅器
Ｄ１  画像検知素子
Ｓ１１  第１のスイッチ
Ｓ１２  第２のスイッチ
Ｓ１３  第３のスイッチ
Ｓ１４  第４のスイッチ
Ｓ１５  第５のスイッチ
Ｃ１１  第１の電気蓄積素子
Ｃ１２  第２の電気蓄積素子
２７Ａ  信号合併ユニット
Ｏ２７  両端入力両端出力の演算増幅器
Ｓ６  第６のスイッチ
Ｓ７  第７のスイッチ
Ｃ２７１  容量
Ｃ２７２  容量
ＩＮ１  第１の信号受信端
ＩＮ２  第２の信号受信端
ＯＴ１  第１の出力端
ＯＴ２  第２の出力端
２７Ｂ  信号合併ユニット
【図１】
2008148311.tif 000003
【図２】
2008148311.tif 000004
【図３】
2008148311.tif 000005
【図４】
2008148311.tif 000006
【図５】
2008148311.tif 000007
【図５Ａ】
2008148311.tif 000008
【図６】
2008148311.tif 000009
【図６Ａ】
2008148311.tif 000010
【図７】
2008148311.tif 000011
【図７Ａ】
2008148311.tif 000012
【図８】
2008148311.tif 000013
【図８Ａ】
2008148311.tif 000014